(57)【要約】【課題】画像読取装置において、スミアの補正を行う必要がないようにするか、あるいは、行うにしてもその処理負担を可及的に軽減できるようにする。【解決手段】読取対象物を照明するための照明光を出射する光源ＬＳと、受光素子をライン状に並べて配列した受光部及び前記受光素子夫々からの転送動作によって受け取った電荷を転送出力する電荷転送部を有する光センサＰＳとが設けられた画像読取装置において、前記受光部から前記電荷転送部へ電荷を転送した時点から次ぎに前記受光部から前記電荷転送部へ電荷を転送する時点までの基準期間内において、前記基準期間の始端側、又は、前記基準期間の終端側に前記照明光の照射を停止させる照明停止期間を設定すると共に、前記照明停止期間の長さを、前記電荷転送部において前記受光部から受け取った電荷の転送出力を完了させるのに必要な時間に略一致する長さ又はそれ以上の長さに設定する。【選択図】図１
2007215052.tif 000002
【特許請求の範囲】
【請求項１】
読取対象物を照明するための照明光を出射する光源と、その光源を制御する光源制御装置と、受光素子をライン状に並べて配列した受光部及び前記受光素子夫々からの転送動作によって受け取った電荷を転送出力する電荷転送部を有する光センサとが設けられた画像読取装置であって、
前記光源制御装置は、前記受光部から前記電荷転送部へ電荷を転送した時点から次ぎに前記受光部から前記電荷転送部へ電荷を転送する時点までの基準期間内において、前記基準期間の始端側、又は、前記基準期間の終端側に前記照明光の照射を停止させる照明停止期間を設定すると共に、前記照明停止期間の長さを、前記電荷転送部において前記受光部から受け取った電荷の転送出力を完了させるのに必要な時間に略一致する長さ又はそれ以上の長さに設定するように構成され、
前記電荷転送部では、少なくとも前記照明停止期間において電荷の転送動作を継続するように構成されている画像読取装置。
【請求項２】
前記光センサによる読取作用位置と前記読取対象物とが前記主走査方向に略直交する副走査方向で相対移動している状態で、前記光センサの検出信号に基づいて前記読取対象物の画像を読取るように構成され、
前記光源は、照明色が可視光領域に属する照明光と赤外光の照明光とを、前記基準期間毎に交互に出射するように構成され、
前記光源制御装置は、照明色が可視光領域に属する照明光を照射する前記基準期間においては、前記照明停止期間を前記基準期間の終端側にのみ設定し、且つ、赤外光の照明光を照射する前記基準期間においては、前記照明停止期間を前記基準期間の始端側にのみ設定するように構成されている請求項１記載の画像読取装置。
【請求項３】
前記光源は、照明色が可視光領域に属する照明光として複数の照明色の照明光を独立して照射するように構成され、
前記光源制御装置は、前記複数の照明色の照明光の光強度と照射タイミングとを各照明色毎に別個に制御するように構成されると共に、
前記複数の照明色を同時に照射する前記基準期間において、照明光の照射時間を前記照明色間で異ならせ、且つ、前記基準期間の始端からの積算光量が、前記基準期間全体での積算光量の１／２となる設定基準タイミングを、前記複数の照明色間で略一致させる状態で制御し、
赤外光の照明光を照射する前記基準期間において、前記基準期間の始端からの赤外光の積算光量が、前記基準期間全体での赤外光の積算光量の１／２となるタイミングと、前記設定基準タイミングとの間隔を一定に保持させる状態で制御するように構成されている請求項２記載の画像読取装置。
【発明の詳細な説明】
【技術分野】
【０００１】
本発明は、読取対象物を照明するための照明光を出射する光源と、その光源を制御する光源制御装置と、受光素子をライン状に並べて配列した受光部及び前記受光素子夫々からの転送動作によって受け取った電荷を転送出力する電荷転送部を有する光センサとが設けられた画像読取装置に関する。
【背景技術】
【０００２】
かかる画像読取装置は、下記特許文献１にも記載のようなＣＣＤ光センサによって読取対象物の画像を読取検出する装置である。
ＣＣＤ光センサでは、受光素子への入射光によって生成された電荷を電荷転送部に転送した後、電荷転送部での転送動作によって各受光素子の検出信号を取り出す際に、例えば受光素子に強い光が入射して発生した電荷が電荷転送部にあふれ出したり、あるいは、電荷転送部に形成した遮光膜を透過して電荷を発生させたりする等して、受光素子から正規の転送タイミングで受け取った電荷以外の不正な電荷が電荷転送部に混入してしまうことによって、異常な画像データが生成されてしまういわゆるスミアという現象が発生する場合がある。
従来、このスミア現象による撮像画質の劣化を抑制するため、下記特許文献２に記載のように、遮光された受光素子から読出したデータを平均して補正用データを求め、通常の有効画素（光学像が結像される画素）の画像データからその補正用データを減算する補正処理を実行することが考えられている。
【特許文献１】特開２００３−１６３７８８号公報
【特許文献２】特開２０００−３５００３２号公報
【発明の開示】
【発明が解決しようとする課題】
【０００３】
しかしながら、上記従来構成では、スミアの補正のための処理負担が大きく、装置構成の複雑化等を招いていた。
本発明は、かかる実情に鑑みてなされたものであって、その目的は、スミアの補正を行う必要がないようにするか、あるいは、行うにしてもその処理負担を可及的に軽減できるようにする点にある。
【課題を解決するための手段】
【０００４】
本出願の第１の発明は、読取対象物を照明するための照明光を出射する光源と、その光源を制御する光源制御装置と、受光素子をライン状に並べて配列した受光部及び前記受光素子夫々からの転送動作によって受け取った電荷を転送出力する電荷転送部を有する光センサとが設けられた画像読取装置において、前記光源制御装置は、前記受光部から前記電荷転送部へ電荷を転送した時点から次ぎに前記受光部から前記電荷転送部へ電荷を転送する時点までの基準期間内において、前記基準期間の始端側、又は、前記基準期間の終端側に前記照明光の照射を停止させる照明停止期間を設定すると共に、前記照明停止期間の長さを、前記電荷転送部において前記受光部から受け取った電荷の転送出力を完了させるのに必要な時間に略一致する長さ又はそれ以上の長さに設定するように構成され、前記電荷転送部では、少なくとも前記照明停止期間において電荷の転送動作を継続するように構成されている。
【０００５】
一般的な電荷転送部の動作を考えると、電荷転送部では、受光素子から電荷を受け取った後、少なくとも転送方向の最も上流側（転送始端側）で受光素子から受け取った電荷の出力が完了するまで転送動作を継続する必要がある。
従って、その最も上流側で受光素子から受け取った電荷に後続する形で、受光素子から電荷を受け取らない状態での転送動作が行われている。
この電荷を受け取らない状態での転送動作中においても照明光は照射されているので、受光素子から正規に受け取る電荷は存在しないものの、その照明光によって電荷転送部に電荷が蓄積されてしまう。
次ぎに受光素子から電荷転送部へ正規に電荷を転送するタイミングでは、上記のように既にスミアを発生させる不正な電荷が存在している状態のところへ受光素子に蓄積された電荷を送り込むことになる。
この後、更に、受光素子から正規の電荷転送で受け取った電荷を出力のために転送している間にも照明光が照射されているので、その転送の間にもスミアを発生させる不正な電荷が電荷転送部に混入してしまうことになる。
すなわち、電荷転送部に蓄積されるスミアを発生させる不正な電荷としては、受光素子から電荷転送部へ正規に電荷の転送動作を行う際に、既に転送先の電荷転送部に蓄積されている電荷と、受光素子から電荷転送部へ正規に電荷を転送した後、その電荷の電荷転送部における転送過程で新たに蓄積される電荷とがある。
【０００６】
そこで、受光素子から電荷転送部へ電荷を転送（電荷のあふれ出しではない正規の転送）した時点から次ぎに受光素子から電荷転送部へ電荷を転送する時点までの基準期間内において、前記基準期間の始端側、又は、前記基準期間の終端側に照明光の照射を停止する照明停止期間を設定し、電荷転送部においてこの照明停止期間に受光素子１ライン分に対応する分の転送出力を完了してしまうのである。
前記照明停止期間を前記基準期間の始端側に設定すれば、その基準期間の始端で受光部から正規に受け取った電荷を転送出力している途中で、スミアを発生させる不正な電荷が蓄積されてしまうのを回避できる。
又、前記照明停止期間を前記基準期間の終端側に設定すれば、その時点で電荷転送部に蓄積されている電荷（スミアを発生させる不正な電荷）を照明光を照射しない状態で払い出してしまうことで、その基準期間の１つ後の基準期間の始端で、電荷転送部に電荷が存在せずクリアな状態で受光素子から転送されてくる電荷を受入れることができる。
【０００７】
又、本出願の第２の発明は、上記第１の発明の構成に加えて、前記光センサによる読取作用位置と前記読取対象物とが前記主走査方向に略直交する副走査方向で相対移動している状態で、前記光センサの検出信号に基づいて前記読取対象物の画像を読取るように構成され、前記光源は、照明色が可視光領域に属する照明光と赤外光の照明光とを、前記基準期間毎に交互に出射するように構成され、前記光源制御装置は、照明色が可視光領域に属する照明光を照射する前記基準期間においては、前記照明停止期間を前記基準期間の終端側にのみ設定し、且つ、赤外光の照明光を照射する前記基準期間においては、前記照明停止期間を前記基準期間の始端側にのみ設定するように構成されている。
【０００８】
読取対称物の画像の読取においては、特に、読取対象物が写真フィルム等の光透過原稿の場合、読取対象物に付着した塵埃や傷の位置を検出して本来の読取画像（前記複数の照明色で検出した画像）を補正するために、上記の可視光領域の照明光の他に、赤外光を照射して画像検出する場合がある。
この赤外光の照射タイミングとしては、可視光領域の照明色についての照射と重複して行おうとすると、可視光領域の照明色の成分を検出する光センサに赤外光の影響が混入しないように、赤外カットフィルタを設置する等の対策が必要となってしまう。
このため、光センサによる読取作用位置と読取対象物とが副走査方向で相対移動している状態で画像を検出する形式においては、赤外光の照射タイミングと可視光領域の照明色の照明光の照射タイミングとが重複しないように分離することが考えられている。
この照射タイミングの分離の仕方としては、前記基準期間毎に可視光領域の照明光と赤外光の照明光とを交互に照射する。
【０００９】
このような照明光の照射態様をとる場合にもスミアの発生が問題となるが、この場合、スミアの原因となる不正な電荷の発生を厳密に排除する観点では、照明光として赤外光を照射する前記基準期間及び可視光領域の照明光を照射する前記基準期間の双方において、夫々の基準期間の始端側及び終端側の両方に前記照明停止期間を設定し、それらの照明停止期間に挟まれる期間に赤外光あるいは可視光領域の照明光を照射して受光素子に電荷を蓄積させる、という取扱いになる。
しかしながら、このような取扱いでは、前記基準期間内における照明光の照射時間が短くなり、読取対象物の画像を良質な画像として読取るのに十分な積算光量を確保できない場合もある。
【００１０】
ところで、赤外光による読取り画像は傷や塵埃の存在位置の特定が主目的であり、極めて高画質の読取り画像を要求される可視光領域の照明光による読取り画像に比べると、それほど画像の微妙な濃度変化の忠実な再現を要求されるものではない。
そのような観点から、照明色が可視光領域に属する照明光を照射する基準期間においては、照明停止期間を基準期間の終端側にのみ設定して、その可視光領域の照明光によって受光素子に蓄積した電荷を電荷転送部へ転送するときには、電荷転送部にスミアの原因となる不正な電荷が存在しないように排出しておくと共に、可視光領域の照明光を照射する基準期間の始端側では、その時に電荷転送部を転送出力されている赤外光の照明下での検出電荷にはスミアの原因となる電荷の蓄積を許容する。
更に、赤外光の照明光を照射する基準期間においては、照明停止期間を基準期間の始端側にのみ設定して、その時に電荷転送部を転送出力されている可視光領域の照明光による検出電荷にはスミアの原因となる不正な電荷が混入しないようにすると共に、赤外光の照明光を照射する基準期間の終端側では、後に赤外光による検出電荷に混入することになる電荷が電荷転送部に蓄積されるのを許容する。
【００１１】
又、本出願の第３の発明は、上記第２の発明の構成に加えて、前記光源は、照明色が可視光領域に属する照明光として複数の照明色の照明光を独立して照射するように構成され、前記光源制御装置は、前記複数の照明色の照明光の光強度と照射タイミングとを各照明色毎に別個に制御するように構成されると共に、前記複数の照明色を同時に照射する前記基準期間において、照明光の照射時間を前記照明色間で異ならせ、且つ、前記基準期間の始端からの積算光量が、前記基準期間全体での積算光量の１／２となる設定基準タイミングを、前記複数の照明色間で略一致させる状態で制御し、赤外光の照明光を照射する前記基準期間において、前記基準期間の始端からの赤外光の積算光量が、前記基準期間全体での赤外光の積算光量の１／２となるタイミングと、前記設定基準タイミングとの間隔を一定に保持させる状態で制御するように構成されている。
【００１２】
すなわち、光センサへの光の到達効率や光センサ自体の感度等を含めた実効的な検出感度が色成分毎に異なる場合が多いことから、照明色毎に照射時間を異ならせて積算光量を変化させて調整する。
このような光源管理を行う場合において、前記設定基準タイミングが複数の照明側間で異なってしまうと、実質的に照明色間でわずかに位置ずれした状態で画像を検出してしまうので、そのような位置ずれが発生しないように、前記設定基準タイミングを照明色間で略一致させる。
更に、その設定基準タイミングと、赤外光を照射する基準期間において積算光量が全体の積算光量の１／２に達するタイミングとの時間間隔を一定に保持させることで、赤外光の照明光下で検出する画像と可視光領域の照明光下で検出する画像の位置関係が一定に固定され、両画像の位置関係の関連付けを容易に行えるようにできる。
【発明の効果】
【００１３】
上記第１の発明によれば、受光素子から受け取った電荷を電荷転送部において転送出力中に照明光の照射を停止して不正な電荷の蓄積を防止するか、あるいは、受光部から電荷転送部へ電荷を転送する前に、照明光の照射を停止した状態で空転送を行うことによって、それまでに蓄積されていた不正な電荷を排除しておくことで、スミアを発生させる電荷の混入を可及的に抑制し、スミアの補正を行う必要がないようにするか、あるいは、行うにしてもその処理負担を可及的に軽減できるものとなった。
又、上記第２の発明によれば、スミアが発生してもそれほど大きな影響を受けにくい赤外光についての検出画像を生成する電荷の取扱いについては、スミアの原因となる不正な電荷の混入を許容し、且つ、高品質な検出画像を求められる可視光領域の照明光下での検出画像を生成する電荷の取扱いについては、スミアの原因となる不正な電荷の混入を徹底的に排除することで、スミアの補正を行う必要がないようにするか、あるいは、行うにしてもその処理負担を可及的に軽減できるものとしながら、照明光の照射時間として長い時間を確保できる。
又、上記第３の発明によれば、照射時間の異なる複数の照明色の照明光を利用して可視光領域の照明光下での画像を検出するときに、それらの照明色間で微妙な画像の位置ずれが発生するのを防止でき、更に、赤外光の照明光下での検出画像と可視光領域の照明光下での検出画像の位置関係が固定されるので、赤外光の照明光下での検出画像から傷又は塵埃の存在位置を特定して、可視光領域の照明光下での検出画像において傷又は塵埃による画像劣化を修正するという作業を可及的に行い易くすることができる。
【発明を実施するための最良の形態】
【００１４】
以下、本発明の画像読取装置を写真プリントシステムに備えた場合の実施の形態を図面に基づいて説明する。
＜第１実施形態＞
写真プリントシステムＤＰは、図１に示すように、現像処理済みの写真フィルム１（以下、単に「フィルム１」と称する）の駒画像を読取るための画像読取装置ＦＳと、画像読取装置ＦＳの読取りデータに基づいて写真プリントを作製する露光・現像装置ＥＰとから構成されている。
【００１５】
〔画像読取装置ＦＳの概略構成〕
画像読取装置ＦＳには、図１に概略的に示すように、読取対象物であるフィルム１を照明するための照明光を出射する光源ＬＳであるＬＥＤ光源装置１０と、ＬＥＤ光源装置１０を制御する光源制御装置１２と、フィルム１の駒画像を光電変換する光センサＰＳであるＣＣＤラインセンサユニット１３と、フィルム１の画像をＣＣＤラインセンサユニット１３上に結像させるためのレンズ１４と、光路を９０度屈曲させるためのミラー１５と、ＣＣＤラインセンサユニット１３の出力信号を増幅及びＡ／Ｄ変換等する信号処理回路１６と、所定の読取り用位置（ＣＣＤラインセンサユニット１３による読取作用位置）を経由してフィルム１を搬送するフィルムキャリア１７とが備えられている。尚、ＬＥＤ光源装置１０とフィルムキャリア１７におけるフィルム搬送位置との間には、光拡散ボックス１８が備えられている。
画像読取装置ＦＳは、光源ＬＳから出射される照明光を画像読取対象物であるフィルム１に照射しながら、ＣＣＤラインセンサユニット１３による読取作用位置とフィルム１とを相対移動（具体的には、フィルム１をフィルムキャリア１７にて搬送移動）させる状態で、フィルム１の透過光の像をＣＣＤラインセンサユニット１３にて照明光の各照明色の色成分に分解して検出することで、フィルム１の駒画像をカラー画像として読取る。
【００１６】
本実施の形態のＣＣＤラインセンサユニット１３は、図３に模式的に示すように、赤色検出用のＣＣＤラインセンサ２０Ｒ，緑色検出用のＣＣＤラインセンサ２０Ｇ及び青色検出用のＣＣＤラインセンサ２０Ｂを設定間隔をおいて一体に集積化したものであり、各ＣＣＤラインセンサ２０Ｒ，２０Ｇ，２０Ｂは、夫々、約５０００個の受光素子２１をライン状に並べて配列した受光部ＬＲと、その受光素子２１の並びに沿って配置されて受光素子２１夫々からの転送動作によって受け取った電荷を受光素子２１の並び方向に転送出力する電荷転送部ＣＴと、受光部ＬＲと電荷転送部ＣＴとの間に配置されて受光部ＬＲから電荷転送部ＣＴへの電荷転送動作を制御するシフトゲートＳＧとを主要部として構成されている。ＣＣＤラインセンサユニット１３の電荷転送部ＣＴやシフトゲートＳＧを駆動するクロック信号等は、信号処理回路１６から供給される。
各ＣＣＤラインセンサ２０Ｒ，２０Ｇ，２０Ｂの受光面には、夫々、カラーフィルタが形成されて、フィルム１の駒画像を色分解して検出するように構成されている。
尚、上記カラーフィルタは、それの性質上、赤外光の透過率が高く、それを利用して、上記の３つのＣＣＤラインセンサ２０Ｒ，２０Ｇ，２０Ｂのうちの一つを赤外光の透過画像の検出に兼用している。本実施の形態では、ＣＣＤラインセンサ２０Ｇを赤外光の透過画像の検出にも兼用している。
【００１７】
各ＣＣＤラインセンサ２０Ｒ，２０Ｇ，２０Ｂにおける受光素子２１の配列方向（主走査方向）はフィルム１の搬送方向（副走査方向）と略直交しており、ＬＥＤ光源装置１０の照射光で照明されたフィルム１の駒画像が、フィルム１の駒画像の幅が受光素子２１の並び範囲内に収まる倍率で、レンズ１４にてＣＣＤラインセンサユニット１３の受光面上に結像される。すなわち、フィルム１の透過光の像がＣＣＤラインセンサユニット１３にて検出される。
【００１８】
〔ＬＥＤ光源装置１０の構成〕
ＬＥＤ光源装置１０は、図２に示すように、ほぼ閉空間を構成する筐体３０内に、発光ダイオードのチップ３１を多数配列した金属製の２つのチップ支持基板３２と、２つのチップ支持基板３２を支持する略Ｌ字状のヒートシンク３３と、２つのチップ支持基板３２の夫々に対応して備えられる２つの第１レンズ３４と、波長選択性反射ミラー３５と、２つのチップ支持基板３２に対して共通に備えられる第２レンズ３６と、筐体３０の一側に配置される吸気ファンユニット３７と、筐体３０における吸気ファンユニット３７と反対側に配置される排気ファンユニット３８とが備えられ、更に、ヒートシンク３３におけるチップ支持基板３２取付け位置付近に発光ダイオードの動作温度を安定させるためのヒータ３９が埋め込まれている。
【００１９】
２つのチップ支持基板３２は、夫々異なる発光色の発光ダイオードチップを搭載しており、上方側のチップ支持基板３２ａは青色光を出射する発光ダイオードチップと緑色光を出射する発光ダイオードチップとを搭載し、下方側のチップ支持基板３２ｂは赤色光を出射する発光ダイオードチップと赤外光を出射する発光ダイオードチップとを搭載している。従って、波長選択性反射ミラー３５は、赤色及び赤外の光を反射し、それよりも短波長側の光を透過するように構成されている。
ＬＥＤ光源装置１０を制御する光源制御装置１２は、信号処理回路１６からの制御信号によって、赤外光，青色光，緑色光及び赤色光を出射する発光ダイオードのチップ３１を照明色毎に独立して点灯制御しており、照明色が可視光領域に属する青色，緑色及び赤色の複数の照明色の照明光を独立して照射すると共に、それらの可視光領域の照明色に加えて、赤外光の照明光を独立して照射するように構成されている。
【００２０】
〔光源制御装置１２によるＬＥＤ光源装置１０の制御態様〕
次ぎに、光源制御装置１２によるＬＥＤ光源装置１０の制御動作を、図４のタイミングチャートによって説明する。
光源制御装置１２は、ＬＥＤ光源装置１０の発光ダイオードのチップ３１に対して、青色，緑色，赤色及び赤外光の夫々のチップ３１について、各照明色毎に独立して点灯駆動するように構成されている。
図４の最上段から４段目までの「青色点灯パルス」，「緑色点灯パルス」，「赤色点灯パルス」及び「赤外光点灯パルス」として示す信号は、上段側から順に、青色光，緑色光，赤色光及び赤外光の各発光ダイオードのチップ３１を発光駆動させるための点灯指示パルス信号を示しており、各照明色の照明光の照射タイミングが各照明色毎に別個に制御されることを示している。
【００２１】
光源制御装置１２に内蔵されている発光ダイオードの各チップ３１の駆動回路は、各チップ３１に供給する駆動電流を設定することで、青色，緑色及び赤色の各照明色の照明光の光強度を各照明色毎に別個に制御しており、更に、赤外光の照明光の光強度も別個に制御している。
発光ダイオードの各チップ３１の駆動回路は、前記点灯パルス信号が立ち上がっている期間の間、予め設定されている一定電流を各チップ３１に供給して、各照明色（赤外光を含む）の照明光の光強度が一定となるようにしている。
従って、図４の最上段から４段目までのパルス波形は、ＬＥＤ光源装置１０から照射される青色，緑色，赤色及び赤外光の各照明色の成分についての光強度の時間変化を示す波形と相似関係となっている。このため、説明の便宜上、図４の最上段から４段目までの信号波形を光強度の時間変化と見なして説明する場合がある。
【００２２】
図４の５段目の「Ｓ／Ｈ」で示す信号波形と、図４の最下段の「電荷転送」として示す信号波形は、信号処理回路１６からＣＣＤラインセンサユニット１３へ出力される制御信号であるが、光源制御装置１２による照射タイミングと同期しており、動作のタイミングの比較のために併記している。
このうち、「Ｓ／Ｈ」で示す信号波形は、各受光素子２１に蓄積された電荷を電荷転送部ＣＴへ転送動作させるためのパルス信号で、このパルス信号の立ち下がりで各受光素子２１の蓄積電荷が一斉に電荷転送部ＣＴへ転送される。つまり、このパルス信号の立ち下がりから次のパルス信号の立ち下がりまでの１周期「Ｔｃ」の期間内にＣＣＤラインセンサ２０Ｒ，２０Ｇ，２０Ｂの受光面に照射された光によって発生した電荷が受光素子２１に蓄積される。以下において、説明の便宜上、「Ｓ／Ｈ」で示す信号波形におけるパルス信号の立ち下がりから次ぎのパルス信号の立ち下がりまでの期間、換言すると、受光部ＬＲから電荷転送部ＣＴへ電荷を転送した時点から次ぎに受光部ＬＲから電荷転送部ＣＴへ電荷を転送する時点までの期間を「基準期間」と称する。
図４の最下段の「電荷転送」として示す信号波形は、電荷転送部ＣＴにおいて受光素子２１の並び方向に沿って電荷を転送させるためのクロック信号を概略的に示している。
【００２３】
光源制御装置１２は、「Ｓ／Ｈ」で示す信号波形を信号処理回路１６から受け取って、上記の点灯パルス信号の出力タイミングを設定している。
図４に示すように、「青色光点灯パルス」，「緑色光点灯パルス」，「赤色光点灯パルス」及び「赤外光点灯パルス」は夫々、「Ｗｂ」，「Ｗｇ」，「Ｗｒ」及び「Ｗｉｒ」で示すパルス幅を有するパルスを一定周期で出力しているが、このようにパルス幅（すなわち照射時間）を照明色間で異ならせているのは、ＣＣＤラインセンサユニット１３（光センサＰＳ）へのフィルム１の透過光の到達効率やＣＣＤラインセンサユニット１３自体の各照明色に対する感度等を含めた実効的な検出感度が各照明色毎に異なるのを、各照明色を担当する発光ダイオードのチップ３１から出射する照明光の光強度のみならず、各照明色の照射時間によっても調整しているためである。
【００２４】
これらの点灯パルス信号は、周期「Ｔｃ」の一定周期で出力される最下段の「Ｓ／Ｈ」のパルス信号と同期して生成されるのであるが、これらのうち、「青色光点灯パルス」，「緑色光点灯パルス」及び「赤色光点灯パルス」については、同一の期間「Ｔｃ」内で出力されるのに対して、「赤外光点灯パルス」だけは隣の期間「Ｔｃ」で出力されている。
すなわち、照明色が可視光領域に属する照明光と赤外光の照明光とを、前記基準期間毎に交互に出射するように構成されている。
これは、赤外光による画像の検出のために可視光での画像の検出のための光センサＰＳ（本実施の形態では、緑色光検出用のＣＣＤラインセンサ２０Ｇ）を兼用しているためで、可視光による画像と赤外光による画像とを区別して検出できるようにするためである。
従って、副走査方向では、前記基準期間の２個分の期間（２×Ｔｃ）で画像の１画素分を検出することになる。
換言すると、可視光の照射のための期間「Ｔｃ」と赤外光の照射のための期間「Ｔｃ」とを足し合わせた２×Ｔｃの期間が１画素分の読取期間となる。
【００２５】
同一の期間「Ｔｃ」内で出力される「青色光点灯パルス」，「緑色光点灯パルス」及び「赤色光点灯パルス」は上記の１画素分の読取期間内で単一の光パルスを形成するのであるが、その単一の光パルスの時間中心（直線Ｃｖで示す）が青色，緑色及び赤色の照明色間で略一致させてある。
上述のように各点灯パルス信号で点灯駆動される発光ダイオードのチップ３１の出射光の光強度は一定としてあるので、直線Ｃｖで規定される設定基準タイミングの前後で、光強度の時間変化が対称となっている。
これはまた、可視光領域の複数の照明色の照明光を同時に照射する前記基準期間において、前記基準期間の始端からの積算光量が、前記基準期間全体での積算光量の１／２となる設定基準タイミング（直線Ｃｖで示すタイミング）を、青色，緑色及び赤色の複数の照明色間で略一致させていることになっている。
【００２６】
この直線Ｃｖで示す時間中心の位置は、前記基準期間の始端から時間「Ｔｖ」だけ経過した時間に設定している。
この時間「Ｔｖ」は、積算光量の調整のために上記の「Ｗｂ」，「Ｗｇ」及び「Ｗｒ」を設定変更した場合でも原則として不変としてある。
図４では、Ｔｖ＝Ｔｃ／３と設定して、照射時間が最も長い「Ｗｒ」が、Ｗｒ＝２×Ｔｖとなる場合を示している。
従って、光源制御装置１２は、「青色光点灯パルス」，「緑色光点灯パルス」及び「赤色光点灯パルス」夫々のパルスの立ち上がりタイミングを、「Ｓ／Ｈ」で示すパルス信号の立ち下がりから、夫々「Ｔｃ／３−Ｗｂ／２」，「Ｔｃ／３−Ｗｇ／２」及び「Ｔｃ／３−Ｗｒ／２」だけ経過した時点に設定し、その立ち上がりタイミングから、夫々「Ｗｂ」，「Ｗｇ」及び「Ｗｒ」だけ経過した時点でパルスを立ち下げるように設定している。
【００２７】
一方、「赤外光点灯パルス」については、それによって形成される赤外光の単一の光パルスの時間中心（直線Ｃｉｒで示す）が、「Ｓ／Ｈ」で示すパルス信号の立ち下がり（前記基準期間の始端）から、「Ｔｉｒ」だけ経過した時点に設定している。
この時間「Ｔｉｒ」も、積算光量の調整のために「Ｗｉｒ」を設定変更した場合でも原則として不変としてある。図４では、Ｔｖ＝２×Ｔｃ／３と設定している。
従って、光源制御装置１２は、「赤外光点灯パルス」の立ち上がりタイミングを、「Ｓ／Ｈ」で示すパルス信号の立ち下がりから、「２×Ｔｃ／３−Ｗｉｒ／２」だけ経過した時点に設定し、その立ち上がりタイミングから「Ｗｉｒ」だけ経過した時点でパルスを立ち下げるように設定している。
これは、すなわち、赤外光の照明光を照射する前記基準期間において、前記基準期間の始端からの赤外光の積算光量が、前記基準期間全体での赤外光の積算光量の１／２となるタイミング（直線Ｃｉｒで示す）と、前記設定基準タイミング（直線Ｃｖで示す）との間隔を一定に保持しており、赤外光の画像と可視光（青色光，緑色光及び赤色光）の画像との副走査方向でのずれ量「Ｄ」は、Ｄ＝２×Ｔｃ／３で、１／３画素分ずれていることになる。
【００２８】
以上の青色光，緑色光，赤色光及び赤外光の各照明光の照射タイミングを、画像上の位置として模式的に図５に示す。
図５において、太線の実線Ａで区分けして示す各升目は画像の１画素（より厳密には、副走査方向では、１画素分の読取期間「２×Ｔｃ」に相当）を示しており、青色光の照射時間を破線の枠Ｐで、緑色光の照射時間を１点鎖線の枠Ｑで、赤色光の照射時間を２点鎖線の枠Ｒで、赤外光の照射時間を細線の枠Ｓで夫々示す。
各画素の検出信号は、１画素分の読取期間全体で光センサＰＳの受光素子２１が受光する積算光量に相当しており、各画素の検出信号は各照明色の照明光の照射時間帯の部分の画像によって代表されていることになる。
更に、より直感的には、各画素の検出信号は各照明色の照明光の照射時間帯の中央部分の画像として把握できる。
【００２９】
図５において、各照明色の照射時間帯の中央部分の位置を、白丸（青色光），白三角（緑色光），×（赤色光）及び白四角（赤外光）として示しているが、これらの位置関係から、可視光領域の照明色については、同一の画素の検出信号として厳密に同じ位置の画像を検出することになる。
一方、可視光領域の照明色での検出画像と赤外光での検出画像とを対比すると、両者は副走査方向で位置ずれしているが、その位置ずれ量は、上記のように「１／３画素」に固定されているので、両画像の位置関係は極めて容易に特定することができる。
【００３０】
上記のような照明光の照射タイミングの制御において、図４及び図５からわかるように、照明色が可視光領域に属する照明光を照射する前記基準期間においては、前記基準期間の終端側に照明光の照射を停止する照明停止期間を設定し、赤外光の照明光を照射する前記基準期間においては、前記基準期間の始端側に照明光の照射を停止する照明停止期間を設定している。これらの照明停止期間を、図４中において「Ｐｎｉ」として概略的に示している。
この照明停止期間「Ｐｎｉ」の長さは、電荷転送部ＣＴにおいて受光部ＬＲから受け取った電荷の転送出力を完了させるのに必要な時間に略一致する長さか、あるいは、それに若干の余裕を持たせて、それ以上の長さに設定している。
信号処理回路１６は、図４に示すように、少なくともこの照明停止期間「Ｐｎｉ」では、電荷転送部ＣＴでの電荷の転送動作を継続するように転送クロックを出力している。
尚、基準期間の始端側で出力している転送クロックは、受光部ＬＲから正規の転送動作で受け取った電荷を転送出力するためのものであり、これも必須の転送クロックである。
【００３１】
基準期間の始端側に照明停止期間「Ｐｎｉ」を停止した赤外光の照明光を照射する基準期間では、その照明停止期間の間に、１つ前の基準期間で可視光領域の照明光の照明下で受光素子２１に蓄積した電荷を転送出力しているが、その転送出力が完了するまでは赤外光の照明光が照射されないことになり、電荷の転送中にスミアを発生させる不正な電荷が電荷転送部ＣＴに混入するのを回避できる。
又、基準期間の終端側に照明停止期間「Ｐｎｉ」を停止した可視光領域の照明色の照明光を照射する基準期間では、その照明停止期間の間に、電荷転送部ＣＴで空転送をして、その時までに可視光領域の照明色の照明光によって電荷転送部ＣＴに蓄積されていたスミアを発生させる不正な電荷を完全に排出することになる。これによって、１つ後の基準期間の始端で受光部ＬＲから電荷転送部ＣＴへ電荷を転送動作するときに、不正な電荷が蓄積されていないきれいな状態の電荷転送部ＣＴへ検出した電荷を送り込むことができる。
【００３２】
これに対して、赤外光の照明光を照射する基準期間の終端側では照明停止期間「Ｐｎｉ」を設定していないため、１つ後の基準期間の始端で受光部ＬＲから電荷転送部ＣＴに電荷を転送する際に、不正な電荷が存在する状態の電荷転送部ＣＴへ電荷を送り込むことになってしまうが、このときの受光部ＬＲから電荷転送部ＣＴへの転送動作の対象となっているのは、赤外光の照明下での検出電荷であり、不正な電荷が多少混入してもそれほど問題となならない。
更に、可視光領域の照明色の照明光を照射する基準期間の始端側でも照明停止期間「Ｐｎｉ」を設定していないので、そのときに電荷転送部ＣＴを転送出力中の電荷に不正な電荷が混入してしまうが、このとき転送している電荷は赤外光の照明下での検出電荷であるので、スミアを発生させる不正な電荷が多少混入してもそれほど問題とはならない。
【００３３】
尚、赤外光の照明光を照射する基準期間の終端側で照明停止期間「Ｐｎｉ」を設定しないにも拘わらず電荷転送部ＣＴで空転送を行っているが、これは、主には、各基準期間で転送クロックの出力制御を共通化するためにであるが、空転送を実行することで多少なりとも不正な電荷を排出しておくという効果もある。その意味で、基準期間の略全体で転送クロックを出力して転送動作を継続するように構成しても良い。
以上のようにして照明光の照射タイミングの制御を行う場合において、「Ｔｃ」，「Ｗｂ」，「Ｗｇ」，「Ｗｒ」及び「Ｗｉｒ」の数値例としては、例えば、夫々３０００μＳ，１０００μＳ，１４００μＳ，２０００μＳ及び１６００μＳ程度となる。
【００３４】
〔露光・現像装置ＥＰの全体構成〕
露光・現像装置ＥＰは、図１に示すように、画像読取装置ＦＳとは別体で構成されており、筐体内部には、印画紙２に露光画像を形成する露光ヘッド４１と、露光形成する画像の画像データに基づいて露光ヘッド４１を制御する露光制御装置４２と、露光ヘッド４１にて露光された印画紙２を現像処理する現像処理装置４３と、印画紙マガジン３から引き出された印画紙２を現像処理装置４３へ搬送する印画紙搬送系ＰＴとが設けられ、筐体外部には、現像処理装置４３にて現像された印画紙２をオーダ毎に一時的に保存するためのソータ（図示を省略）へ搬送する排出コンベア４４が設けられ、更に、これら各部を制御する主制御装置４５が筐体内に設けられている。
【００３５】
主制御装置４５には、プリント画像をシミュレートして表示するためのモニタ４５ａと、操作者がそのモニタ４５ａに表示されたシミュレート画像を観察して露光条件の補正量を指示入力するための操作卓４５ｂと、光磁気ドライブ装置やＣＤ−Ｒドライブ装置等の外部入出力装置４５ｃとが接続されている。
印画紙搬送系ＰＴは、各種の搬送形式にて構成される複数の搬送ローラ４６等が備えられ、印画紙搬送系ＰＴの搬送経路の途中には、印画紙マガジン３から引き出された長尺の印画紙２を設定プリントサイズに切断するカッタ４７と、印画紙２の搬送列を振り分けるための振り分け装置４８とが備えられている。
【００３６】
〔露光・現像装置ＥＰの全体動作〕
次に、露光・現像装置ＥＰの全体動作について概略的に説明する。
上述のようにＬＥＤ光源装置１０における照明光の照射タイミング等が設定された状態で画像読取装置ＦＳにてフィルム１の駒画像が読み取られて、その画像データが主制御装置４５に入力される。
赤外光の照明光の照射下で検出された画像は、フィルム１の撮影画像の影響は受けず、フィルム１上の傷や塵埃によって光線が散乱されることで形成される画像であり、主制御装置４５では、入力されてきた画像データに対して、赤外光での画像データによって塵埃あるいは傷の存在位置を特定し、その情報に基づいて可視光での画像データを補正する。
更に、仕上がりプリントをシミュレートしたシミュレート画像を演算処理により求めてモニタ４５ａに表示する。
操作者は、モニタ４５ａに表示されたシミュレート画像を観察して、適宜露光条件の補正入力を操作卓４５ｂから行う。
主制御装置４５は、操作卓４５ｂから補正入力があると、その指示に基づいて露光条件を補正演算して露光用の画像データを生成し、その画像データを露光制御装置４２へ送る。
露光制御装置４２は、印画紙２の搬送駆動と連動して、受け取った露光用の画像データに基づいて露光ヘッド４１を駆動し、前記露光位置を搬送される印画紙２に対して潜像として画像を露光形成する。
露光ヘッド４１にて露光処理された印画紙２は、現像処理装置４３にて現像処理及び乾燥処理された後、排出コンベア４４上に排出される。
【００３７】
＜第２実施形態＞
次ぎに本発明の第２実施形態について説明する。
本第２実施形態は、光源制御装置１２による照明光の照射タイミングの制御のみが異なり、その他の構成要素は上記第１実施形態と共通である。
従って、光源制御装置１２によるＬＥＤ光源装置１０の制御態様についてのみ説明する。
〔光源制御装置１２によるＬＥＤ光源装置１０の制御態様〕
第２実施形態における光源制御装置１２によるＬＥＤ光源装置１０の制御動作を、図６のタイミングチャートによって説明する。
光源制御装置１２は、ＬＥＤ光源装置１０の発光ダイオードのチップ３１に対して、青色，緑色，赤色及び赤外光の夫々のチップ３１について、各照明色毎に独立して点灯駆動するように構成されている。
図６の最上段から４段目までの「青色点灯パルス」，「緑色点灯パルス」，「赤色点灯パルス」及び「赤外光点灯パルス」として示す信号の意味は、上記第１実施形態におけるものと同様である。
【００３８】
照明光の光強度の設定態様についても上記第１実施形態と同様であり、光源制御装置１２に内蔵されている発光ダイオードの各チップ３１の駆動回路は、各チップ３１に供給する駆動電流を設定することで、青色，緑色及び赤色の各照明色の照明光の光強度を各照明色毎に別個に制御しており、更に、赤外光の照明光の光強度も別個に制御している。
発光ダイオードの各チップ３１の駆動回路は、前記点灯パルス信号が立ち上がっている期間の間、予め設定されている一定電流を各チップ３１に供給して、各照明色（赤外光を含む）の照明光の光強度が一定となるようにしている。
従って、図６の最上段から４段目までのパルス波形は、ＬＥＤ光源装置１０から照射される青色，緑色，赤色及び赤外光の各照明色の成分についての光強度の時間変化を示す波形と相似関係となっている。このため、説明の便宜上、図６の最上段から４段目までの信号波形を光強度の時間変化と見なして説明する場合がある。
図６の５段目の「Ｓ／Ｈ」で示す信号波形と、図６の最下段の「電荷転送」として示す信号波形も上記第１実施形態における図４のものと同様であり、「基準期間」等の用語も上記第１実施形態と同様の定義で使用する。
「Ｔｃ」や「Ｐｎｉ」その他の符号の意味も上記第１実施形態と同様である。
【００３９】
本第２実施形態においても、光源制御装置１２は、「Ｓ／Ｈ」で示す信号波形を信号処理回路１６から受け取って、上記の点灯パルス信号の出力タイミングを設定している。
図６に示すように、「青色光点灯パルス」，「緑色光点灯パルス」，「赤色光点灯パルス」及び「赤外光点灯パルス」は夫々、「Ｗｂ」，「Ｗｇ」，「Ｗｒ」及び「Ｗｉｒ」で示すパルス幅を有する単一パルスを一定周期で出力している点も上記第１実施形態と同様であるが、本第２実施形態はこれらの点灯パルス信号の出力タイミングのみが上記第１実施形態と異なる。
出力タイミングが異なるといっても、パルス幅（すなわち照射時間）を照明色間で異ならせていることや、照明色が可視光領域に属する照明光と赤外光の照明光とを、前記基準期間毎に交互に出射するように構成されている点、更には、「青色光点灯パルス」，「緑色光点灯パルス」及び「赤色光点灯パルス」で生成される単一の光パルスの時間中心（直線Ｃｖで示す）が青色，緑色及び赤色の照明色間で略一致させてあるのも上記第１実施形態と同様である。
【００４０】
上記の直線Ｃｖで示す時間中心の位置は、上記第１実施形態と同様に、前記基準期間の始端から時間「Ｔｖ」だけ経過した時間に設定して、この時間「Ｔｖ」は、積算光量の調整のために上記の「Ｗｂ」，「Ｗｇ」及び「Ｗｒ」を設定変更した場合でも原則として不変としてあるが、本第２実施形態では、Ｔｖ＝Ｔｃ／２と設定している。
従って、光源制御装置１２は、「青色光点灯パルス」，「緑色光点灯パルス」及び「赤色光点灯パルス」夫々のパルスの立ち上がりタイミングを、「Ｓ／Ｈ」で示すパルス信号の立ち下がりから、夫々「Ｔｃ／２−Ｗｂ／２」，「Ｔｃ／２−Ｗｇ／２」及び「Ｔｃ／２−Ｗｒ／２」だけ経過した時点に設定し、その立ち上がりタイミングから、夫々「Ｗｂ」，「Ｗｇ」及び「Ｗｒ」だけ経過した時点でパルスを立ち下げるように設定している。
【００４１】
一方、「赤外光点灯パルス」についても、上記第１実施形態と同様に、それによって形成される赤外光の単一の光パルスの時間中心（直線Ｃｉｒで示す）が、「Ｓ／Ｈ」で示すパルス信号の立ち下がり（前記基準期間の始端）から、「Ｔｉｒ」だけ経過した時点に設定している。
この時間「Ｔｉｒ」も、積算光量の調整のために「Ｗｉｒ」を設定変更した場合でも原則として不変としているが、上記第１実施形態と異なり、Ｔｖ＝Ｔｃ／２と設定している。
従って、光源制御装置１２は、「赤外光点灯パルス」の立ち上がりタイミングを、「Ｓ／Ｈ」で示すパルス信号の立ち下がりから、「Ｔｃ／２−Ｗｉｒ／２」だけ経過した時点に設定し、その立ち上がりタイミングから「Ｗｉｒ」だけ経過した時点でパルスを立ち下げるように設定している。
すなわち、赤外光の照明光を照射する前記基準期間において、前記基準期間の始端からの赤外光の積算光量が、前記基準期間全体での赤外光の積算光量の１／２となるタイミング（直線Ｃｉｒで示す）と、前記設定基準タイミング（直線Ｃｖで示す）との間隔を一定に保持しているのは上記第１実施形態と同様であるが、本第２実施形態では、赤外光の画像と可視光（青色光，緑色光及び赤色光）の画像との副走査方向でのずれ量「Ｄ」は、Ｄ＝Ｔｃで、０．５画素分ずれていることになる。
【００４２】
以上の青色光，緑色光，赤色光及び赤外光の各照明光の照射タイミングを、画像上の位置として模式的に図７に示す。
図７における、各符号の意味は上記第１実施形態と共通である。
図７においても、各照明色の照射時間帯の中央部分の位置を、白丸（青色光），白三角（緑色光），×（赤色光）及び白四角（赤外光）として示しているが、これらの位置関係から、可視光領域の照明色については、同一の画素の検出信号として厳密に同じ位置の画像を検出することになる。
一方、可視光領域の照明色での検出画像と赤外光での検出画像とを対比すると、両者は副走査方向で位置ずれしているが、その位置ずれ量は、上記のように「０．５画素」に固定されているので、両画像の位置関係は極めて容易に特定することができる。
【００４３】
本第２実施形態が上記第１実施形態と最も異なる点は、上記のような照明光の照射タイミングの制御において、図６及び図７からわかるように、照明色が可視光領域に属する照明光を照射する前記基準期間と赤外光の照明光を照射する前記基準期間との双方において、前記基準期間の始端側と前記基準期間の終端側の両方に照明光の照射を停止する照明停止期間「Ｐｎｉ」を設定している。
この照明停止期間「Ｐｎｉ」の長さは、上記第１実施形態と同じく、電荷転送部ＣＴにおいて受光部ＬＲから受け取った電荷の転送出力を完了させるのに必要な時間に略一致する長さか、あるいは、それに若干の余裕を持たせて、それ以上の長さに設定している。
本第２実施形態においても、信号処理回路１６は、図６に示すように、少なくともこの照明停止期間「Ｐｎｉ」では、電荷転送部ＣＴでの電荷の転送動作を継続するように転送クロックを出力している。
尚、基準期間の始端側で出力している転送クロックは、受光部ＬＲから正規の転送動作で受け取った電荷を転送出力するためのものであり、これも必須の転送クロックである。
【００４４】
赤外光及び可視光領域の何れの照明光においても、基準期間の始端側と終端側の両方に照明停止期間「Ｐｎｉ」を設定しているので、基準期間の始端で受け取った電荷を電荷転送部ＣＴで転送している時にスミアを発生させる不正な電荷が電荷転送部ＣＴに混入することはなく、又、電荷転送部ＣＴに蓄積されていたスミアを発生させる不正な電荷を基準期間の終端側で空転送して完全に排出することになる。
これによって、可視光領域の照明色の照明光下での検出画像のみならず、赤外光の照明光下での検出画像においてもスミアを排除することができる。
以上のようにして照明光の照射タイミングの制御を行う場合において、「Ｔｃ」，「Ｗｂ」，「Ｗｇ」，「Ｗｒ」及び「Ｗｉｒ」の数値例としては、例えば、夫々３０００μＳ，５００μＳ，７００μＳ，１０００μＳ及び８００μＳ程度となり、本第２実施形態は、光源ＬＳの光強度が大である場合に特に好適である。
【００４５】
＜その他の実施形態＞
以下、本発明の別実施形態を列記する。
（１）上記第１実施形態及び第２実施形態では、青色，緑色及び赤色の可視光による照明と、赤外光による照明とを交互に繰り返す場合を例示しているが、赤外光による照明を行わずに、可視光の照明のみによって読取対象物の画像を読取る場合にも本発明を適用できる。
（２）上記第１実施形態及び第２実施形態では、副走査方向で読取対象物と光センサＰＳの読取作用位置を相対移動させるために、読取対象物であるフィルム１を搬送駆動する場合を例示しているが、例えばフラットベッドスキャナのように、読取対象物は静止状態として前記読取作用位置を移動操作する構成としても良い。
【００４６】
（３）上記第１実施形態及び第２実施形態では、複数の照明色の照明光を生成するために青色，緑色及び赤色の発光ダイオードのチップ３１を備える場合を例示しているが、各種の単色光を放射する素子を使用できる他、白色光をカラーフィルタで複数の色成分に分解した後、各色成分について個別に出射タイミングを制御するように構成しても良い。
（４）上記第１実施形態及び第２実施形態では、同時（同一の期間「Ｔｃ」）に照射する複数の照明光が全て可視光である場合を例示しているが、複数の照明色として白色光と赤外光とを同時に照射するような場合にも本発明を適用できる。
（５）上記第１実施形態及び第２実施形態では、光センサＰＳをＣＣＤラインセンサを備えて構成する場合を例示しているが、ＣＣＤイメージセンサにて光センサＰＳを構成する場合にも本発明を適用できる。
【図面の簡単な説明】
【００４７】
【図１】本発明の第１実施形態及び第２実施形態にかかる写真プリントシステムの概略構成図
【図２】本発明の第１実施形態及び第２実施形態にかかる光源の概略構成図
【図３】本発明の第１実施形態及び第２実施形態にかかる光センサの概略構成図
【図４】本発明の第１実施形態にかかる照明光の照射タイミングを説明する図
【図５】本発明の第１実施形態にかかる照明光の照射タイミングと画像の読取りとの関係を説明する図
【図６】本発明の第２実施形態にかかる照明光の照射タイミングを説明する図
【図７】本発明の第２実施形態にかかる照明光の照射タイミングと画像の読取りとの関係を説明する図
【符号の説明】
【００４８】
１２  光源制御装置
２１  受光素子
ＣＴ  電荷転送部
ＬＲ  受光部
ＬＳ  光源
ＰＳ  光センサ
【図１】
2007215052.tif 000003
【図２】
2007215052.tif 000004
【図３】
2007215052.tif 000005
【図４】
2007215052.tif 000006
【図５】
2007215052.tif 000007
【図６】
2007215052.tif 000008
【図７】
2007215052.tif 000009